【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
画像が形成される像担持体と、
前記像担持体に形成された画像を記録媒体に転写する転写手段と、
前記転写手段へ向けて記録媒体を搬送する搬送手段と、
前記転写手段よりも記録媒体の搬送方向上流側の所定位置で記録媒体を検知する検知手段と、
前記検知手段によって記録媒体を検知してから所定時間が経過した時に、検知した前記記録媒体に対応する画像の形成を前記像担持体に対して開始する画像形成手段と、を有し、
前記検知手段によって記録媒体を検知したタイミングが所定タイミングよりも遅い場合、前記搬送手段は、前記転写手段によって前記記録媒体に画像が転写される際の第１の速度よりも速い第２の速度で前記記録媒体を搬送し、前記画像形成手段は、前記検知手段によって前記記録媒体を検知した前記タイミングに応じて、前記所定時間を短くすることを特徴とする画像形成装置。
【請求項２】
画像が形成される像担持体と、
前記像担持体に形成された画像を記録媒体に転写する転写手段と、
前記転写手段へ向けて記録媒体を搬送する搬送手段と、
前記転写手段よりも記録媒体の搬送方向上流側の所定位置で記録媒体を検知する検知手段と、
前記検知手段によって記録媒体を検知してから所定時間が経過した時に、検知した前記記録媒体に対応する画像の形成を前記像担持体に対して開始する画像形成手段と、を有し、
前記検知手段によって記録媒体を検知したタイミングが所定タイミングよりも早い場合、前記搬送手段は、前記転写手段によって前記記録媒体に画像が転写される際の第１の速度よりも遅い第２の速度で前記記録媒体を搬送し、前記画像形成手段は、前記検知手段によって前記記録媒体を検知した前記タイミングに応じて、前記所定時間を長くすることを特徴とする画像形成装置。
【請求項３】
前記検知手段によって前記記録媒体を検知した前記タイミングが前記所定タイミングと一致する場合、前記搬送手段は、前記記録媒体を前記第１の速度で搬送し、前記画像形成手段は、前記所定時間を変更しないことを特徴とする請求項１又は２に記載の画像形成装置。
【請求項４】
記録媒体を収容する収容手段と、を有し、
前記搬送手段は、前記収容手段に収容された記録媒体を停止させることなく前記転写手段へ向けて搬送することを特徴とする請求項１乃至３のいずれか１項に記載の画像形成装置。
【請求項５】
前記搬送手段が前記記録媒体を前記第２の速度で搬送する場合、前記搬送手段は、少なくとも前記記録媒体の先端が前記転写手段に到達する前に、前記記録媒体の搬送速度を前記第２の速度から前記第１の速度へ切り替えることを特徴とする請求項１乃至３のいずれか１項に記載の画像形成装置。
【請求項６】
前記所定位置は、前記搬送手段よりも記録媒体の搬送方向下流側の位置であることを特徴とする請求項１乃至５のいずれか１項に記載の画像形成装置。
【請求項７】
前記画像形成手段は、前記像担持体に光を照射する照射手段を含み、
前記照射手段は、前記検知手段によって前記記録媒体を検知してから前記所定時間が経過した時に、前記像担持体に対して光の照射を開始することを特徴とする請求項１乃至６のいずれか１項に記載の画像形成装置。
【請求項８】
前記搬送手段は、前記検知手段によって前記記録媒体を検知した前記タイミングと前記所定タイミングの差分に基づいて、前記第２の速度を決定することを特徴とする請求項１乃至７のいずれか１項に記載の画像形成装置。
【請求項９】
前記画像形成手段は、前記検知手段によって前記記録媒体を検知した前記タイミングと前記所定タイミングの差分に基づいて、前記所定時間を調整することを特徴とする請求項１乃至８のいずれか１項に記載の画像形成装置。
【請求項１０】
前記搬送手段は、第１の記録媒体と前記第１の記録媒体に後続する第２の記録媒体を連続して前記転写手段へ向けて搬送し、
前記検知手段によって前記第１の記録媒体の後端を検知してから前記第２の記録媒体の先端を検知したタイミングが前記所定タイミングよりも遅い場合、前記搬送手段は、前記第２の速度で前記第２の記録媒体を搬送し、前記画像形成手段は、前記検知手段によって前記第２の記録媒体の先端を検知した前記タイミングに応じて、前記所定時間を短くすることを特徴とする請求項１に記載の画像形成装置。
【請求項１１】
前記搬送手段は、第１の記録媒体と前記第１の記録媒体に後続する第２の記録媒体を連続して前記転写手段へ向けて搬送し、
前記検知手段によって前記第１の記録媒体の後端を検知してから前記第２の記録媒体の先端を検知したタイミングが前記所定タイミングよりも早い場合、前記搬送手段は、前記第２の速度で前記第２の記録媒体を搬送し、前記画像形成手段は、前記検知手段によって前記第２の記録媒体の先端を検知した前記タイミングに応じて、前記所定時間を長くすることを特徴とする請求項２に記載の画像形成装置。
【請求項１２】
画像が形成される像担持体を含む画像形成手段と、
前記画像形成手段を制御する制御手段と、
前記像担持体に形成された画像を記録媒体に転写する転写手段と、
前記転写手段へ向けて記録媒体を搬送する搬送手段と、
前記転写手段よりも記録媒体の搬送方向上流側の所定位置で記録媒体を検知する検知手段と、を有し、
前記画像形成手段は、前記検知手段によって記録媒体を検知してから所定時間が経過した時に、検知した前記記録媒体に対応する画像の形成を前記像担持体に対して開始し、
前記検知手段によって記録媒体を検知したタイミングが所定タイミングよりも遅い場合、前記搬送手段は、前記転写手段によって前記記録媒体に画像が転写される際の第１の速度よりも速い第２の速度で前記記録媒体を搬送し、前記制御手段は、前記像担持体に形成された画像が前記転写手段によって前記記録媒体に転写されるように、前記検知手段によって前記記録媒体を検知した前記タイミングに応じて、前記画像形成手段を制御することを特徴とする画像形成装置。
【請求項１３】
画像が形成される像担持体を含む画像形成手段と、
前記画像形成手段を制御する制御手段と、
前記像担持体に形成された画像を記録媒体に転写する転写手段と、
前記転写手段へ向けて記録媒体を搬送する搬送手段と、
前記転写手段よりも記録媒体の搬送方向上流側の所定位置で記録媒体を検知する検知手段と、を有し、
前記画像形成手段は、前記検知手段によって記録媒体を検知してから所定時間が経過した時に、検知した前記記録媒体に対応する画像の形成を前記像担持体に対して開始し、
前記検知手段によって記録媒体を検知したタイミングが所定タイミングよりも早い場合、前記搬送手段は、前記転写手段によって前記記録媒体に画像が転写される際の第１の速度よりも遅い第２の速度で前記記録媒体を搬送し、前記制御手段は、前記像担持体に形成された画像が前記転写手段によって前記記録媒体に転写されるように、前記検知手段によって前記記録媒体を検知した前記タイミングに応じて、前記画像形成手段を制御することを特徴とする画像形成装置。
【手続補正２】
【補正対象書類名】明細書
【補正対象項目名】０００７
【補正方法】変更
【補正の内容】
【０００７】
本発明は、たとえば、
画像が形成される像担持体と、
前記像担持体に形成された画像を記録媒体に転写する転写手段と、
前記転写手段へ向けて記録媒体を搬送する搬送手段と、
前記転写手段よりも記録媒体の搬送方向上流側の所定位置で記録媒体を検知する検知手段と、
前記検知手段によって記録媒体を検知してから所定時間が経過した時に、検知した前記記録媒体に対応する画像の形成を前記像担持体に対して開始する画像形成手段と、を有し、
前記検知手段によって記録媒体を検知したタイミングが所定タイミングよりも遅い場合、前記搬送手段は、前記転写手段によって前記記録媒体に画像が転写される際の第１の速度よりも速い第２の速度で前記記録媒体を搬送し、前記画像形成手段は、前記検知手段によって前記記録媒体を検知した前記タイミングに応じて、前記所定時間を短くすることを特徴とする画像形成装置を提供する。
また、本発明は、たとえば、
画像が形成される像担持体と、
前記像担持体に形成された画像を記録媒体に転写する転写手段と、
前記転写手段へ向けて記録媒体を搬送する搬送手段と、
前記転写手段よりも記録媒体の搬送方向上流側の所定位置で記録媒体を検知する検知手段と、
前記検知手段によって記録媒体を検知してから所定時間が経過した時に、検知した前記記録媒体に対応する画像の形成を前記像担持体に対して開始する画像形成手段と、を有し、
前記検知手段によって記録媒体を検知したタイミングが所定タイミングよりも早い場合、前記搬送手段は、前記転写手段によって前記記録媒体に画像が転写される際の第１の速度よりも遅い第２の速度で前記記録媒体を搬送し、前記画像形成手段は、前記検知手段によって前記記録媒体を検知した前記タイミングに応じて、前記所定時間を長くすることを特徴とする画像形成装置を提供する。
また、本発明は、たとえば、
画像が形成される像担持体を含む画像形成手段と、
前記画像形成手段を制御する制御手段と、
前記像担持体に形成された画像を記録媒体に転写する転写手段と、
前記転写手段へ向けて記録媒体を搬送する搬送手段と、
前記転写手段よりも記録媒体の搬送方向上流側の所定位置で記録媒体を検知する検知手段と、を有し、
前記画像形成手段は、前記検知手段によって記録媒体を検知してから所定時間が経過した時に、検知した前記記録媒体に対応する画像の形成を前記像担持体に対して開始し、
前記検知手段によって記録媒体を検知したタイミングが所定タイミングよりも遅い場合、前記搬送手段は、前記転写手段によって前記記録媒体に画像が転写される際の第１の速度よりも速い第２の速度で前記記録媒体を搬送し、前記制御手段は、前記像担持体に形成された画像が前記転写手段によって前記記録媒体に転写されるように、前記検知手段によって前記記録媒体を検知した前記タイミングに応じて、前記画像形成手段を制御することを特徴とする画像形成装置を提供する。
また、本発明は、たとえば、
画像が形成される像担持体を含む画像形成手段と、
前記画像形成手段を制御する制御手段と、
前記像担持体に形成された画像を記録媒体に転写する転写手段と、
前記転写手段へ向けて記録媒体を搬送する搬送手段と、
前記転写手段よりも記録媒体の搬送方向上流側の所定位置で記録媒体を検知する検知手段と、を有し、
前記画像形成手段は、前記検知手段によって記録媒体を検知してから所定時間が経過した時に、検知した前記記録媒体に対応する画像の形成を前記像担持体に対して開始し、
前記検知手段によって記録媒体を検知したタイミングが所定タイミングよりも早い場合、前記搬送手段は、前記転写手段によって前記記録媒体に画像が転写される際の第１の速度よりも遅い第２の速度で前記記録媒体を搬送し、前記制御手段は、前記像担持体に形成された画像が前記転写手段によって前記記録媒体に転写されるように、前記検知手段によって前記記録媒体を検知した前記タイミングに応じて、前記画像形成手段を制御することを特徴とする画像形成装置を提供する。